【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折率の第２レンズ群、正の屈折力の第３レンズ群、負の屈折力の第４レンズ群、正の屈折力の第５レンズ群より構成され、ズーミングに際して各レンズ群の間隔が変化するズームレンズにおいて、広角端における全系の焦点距離をｆｗ、前記第１レンズ群の焦点距離をｆ１、前記第２レンズ群の焦点距離をｆ２、前記第５レンズ群の焦点距離をｆ５とするとき、
９．８＜｜ｆ１／ｆ２｜＜１２．５
５．０＜ｆ５／ｆｗ＜７．５
なる条件式を満足することを特徴とするズームレンズ。
【請求項２】
前記第４レンズ群の焦点距離をｆ４とするとき、
−６．５＜ｆ４／ｆｗ＜−４．５
なる条件式を満足することを特徴とする請求項１に記載のズームレンズ。
【請求項３】
前記第２レンズ群を構成するレンズの材料の平均屈折率をｎｄ２とするとき、
ｎｄ２＞１．８６
なる条件式を満足することを特徴とする請求項１又は２に記載のズームレンズ。
【請求項４】
前記第１レンズ群の少なくとも１つの正レンズの材料のアッベ数をνｄ１とするとき、
νｄ１＞７５
なる条件式を満足することを特徴とする請求項１乃至３のいずれか１項に記載のズームレンズ。
【請求項５】
前記第４レンズ群を光軸に対して垂直方向の成分を持つように移動させて、結像位置を光軸に対して垂直方向に移動させることを特徴とする請求項１乃至４のいずれか１項に記載のズームレンズ。
【請求項６】
請求項１乃至５のいずれか１項に記載のズームレンズと該ズームレンズによって形成された像を受光する撮像素子を有することを特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に、正の屈折力の第１レンズ群、負の屈折率の第２レンズ群、正の屈折力の第３レンズ群、負の屈折力の第４レンズ群、正の屈折力の第５レンズ群より構成され、ズーミングに際して各レンズ群の間隔が変化するズームレンズにおいて、広角端における全系の焦点距離をｆｗ、前記第１レンズ群の焦点距離をｆ１、前記第２レンズ群の焦点距離をｆ２、前記第５レンズ群の焦点距離をｆ５とするとき、
９．８＜｜ｆ１／ｆ２｜＜１２．５
５．０＜ｆ５／ｆｗ＜７．５
なる条件式を満足することを特徴としている。
【手続補正３】
【補正対象書類名】明細書
【補正対象項目名】００１６
【補正方法】変更
【補正の内容】
【００１６】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比９９．７３、開口比２．０２〜９．２５のズームレンズである。
【手続補正４】
【補正対象書類名】明細書
【補正対象項目名】００１７
【補正方法】変更
【補正の内容】
【００１７】
図９は、本発明の実施例５のズームレンズの広角端におけるレンズ断面図である。図１０（Ａ）、（Ｂ）、（Ｃ）はそれぞれ実例５のズームレンズの広角端、中間のズーム位置、望遠端における収差図である。実施例５はズーム比９９．７２、開口比２．０２〜８．００のズームレンズである。図１１は本発明の撮像装置の要部概略図である。本発明のズームレンズは、デジタルカメラ、ビデオカメラ、銀塩フィルムカメラ等の撮像装置や望遠鏡、双眼鏡の観察装置、複写機、プロジェクター等の光学機器に用いられるものである。レンズ断面図において左方が前方（物体側、拡大側）で右方が後方（像側、縮小側）である。レンズ断面図において、ｉは物体側から像側への各レンズ群の順序を示し、Ｌｉは第ｉレンズ群である。
【手続補正５】
【補正対象書類名】明細書
【補正対象項目名】００２０
【補正方法】変更
【補正の内容】
【００２０】
球面収差図において実線はｄ線、二点鎖線はｇ線である。非点収差図においてΔＭ、ΔＳはメリディオナル像面、サジタル像面、倍率色収差はｇ線によって表している。ＦｎｏはＦナンバー、ωは半画角である。矢印は広角端から望遠端へのズーミングに際しての各レンズ群の移動軌跡を示している。ズーミングに際しては広角端に対して望遠端において第１レンズ群と第２レンズ群の間隔が増大し、第２レンズ群と第３レンズ群の間隔が減少し、第３レンズ群と第４レンズ群の間隔が変化する。更に第４レンズ群と第５レンズ群の間隔が変化するように第２、第４レンズ群が移動している。
【手続補正６】
【補正対象書類名】明細書
【補正対象項目名】００２３
【補正方法】変更
【補正の内容】
【００２３】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を像側へ凸状の軌跡とすることで第４レンズ群Ｌ４と第５レンズ群Ｌ５間の空間の有効利用を図り、レンズ全長（第１レンズ面から像面までの距離）の短縮化を効果的に達成している。又、望遠端において無限遠物体から近距離物体へフォーカスを行う場合には、矢印４ｃに示すように第４レンズ群Ｌ４を後方に繰り込むことで行っている。尚、第１レンズ群Ｌ１はズーミングの為には光軸方向に固定であるが、収差補正上必要に応じて移動させてもよい。また第４レンズ群Ｌ４を光軸に対して垂直方向の成分を持つように移動させて、結像位置を光軸に対して垂直方向に移動させている。即ち防振を行っている。開口絞りＳＰは固定である。
【手続補正７】
【補正対象書類名】明細書
【補正対象項目名】００３９
【補正方法】変更
【補正の内容】
【００３９】
第４レンズ群Ｌ４は正レンズと負レンズとを接合した接合レンズより構成している。各実施例では少ないレンズ枚数で第４レンズ群Ｌ４を構成することで薄型化、軽量化を図っている。なお負レンズはアッベ数が比較的大きい（アッベ数５５以上）低分散な材料を用いて変倍に伴う色収差変動を低減している。第５レンズ群Ｌ５は正レンズ、負レンズ、正レンズより構成している。これによって第５レンズ群Ｌ５の屈折力を強めた場合でもズーム全域にて倍率色収差の発生を良好に抑えている。
【手続補正８】
【補正対象書類名】明細書
【補正対象項目名】００４５
【補正方法】変更
【補正の内容】
【００４５】
数値実施例１
面データ
面番号       r        d      nd         νd       有効径
1         21.815    0.58   1.84666    23.8       11.90
2         12.127    2.03   1.49700    81.5       11.23
3       -220.967    0.08                         10.95
4         12.445    1.46   1.80400    46.6       10.10
5         37.656  (可変)                          9.57
6         12.670    0.28   1.88300    40.8        3.23
7          1.787    0.86                          2.47
8         -3.096    0.28   1.88300    40.8        2.40
9         10.475    0.08                          2.48
10          5.947    0.75   1.92286    18.9        2.56
11        -12.992  (可変)                          2.58
12(絞り)    ∞       0.24                          3.88
13*         8.591    1.28   1.58313    59.4        3.97
14*        -6.285    0.09                          3.96
15         12.198    1.08   1.53927    64.7        3.72
16         -3.745    0.28   1.84666    23.8        3.53
17         -7.190  (可変)                          3.46
18         -5.797    0.67   1.62987    30.5        3.18
19         -3.046    0.39   1.58313    59.4        3.10
20*         9.509  (可変)                          2.90
21         13.123    0.60   1.48749    70.2        2.20
22         -9.360    0.08                          2.19
23          4.237    0.33   1.84666    23.8        2.15
24          2.347    0.20                          2.01
25          3.680    0.68   1.69680    55.5        2.04
26        -25.645    1.10                          1.98
27          ∞       1.04   1.51633    64.2        5.51
28          ∞       1.02                          5.51
像面        ∞   
非球面データ
第13面
K =-1.59564e+000  A 4=-7.39010e-004  A 6= 1.33976e-004  A 8=-4.30989e-005  A10=
4.35545e-006  
第14面
K =-1.97071e+000  A 4=-5.89834e-004  A 6=-5.77593e-006  A 8=-5.82490e-006  
第20面
K =-1.86048e+001  A 4=-2.82783e-004  A 6=-3.50267e-004  A 8= 2.08345e-005  
各種データ
ズーム比     58.43 
焦点距離       1.00    12.06    58.43
Fナンバー      2.02     2.72     5.27
半画角（度）   32.43     3.02     0.62
像高           0.64     0.64     0.64
レンズ全長    34.78    34.78    34.78
BF             2.81     2.81     2.81
d 5            0.48    11.32    14.02
d11           14.56     3.73     1.02
d17            0.39     3.82     0.61
d20            4.23     0.80     4.01
入射瞳位置     5.99    76.37   298.28
射出瞳位置    72.05   -22.64    87.40
前側主点位置   7.01    82.28   396.24
後側主点位置   0.02   -11.04   -57.41
ズームレンズ群データ
群  始面    焦点距離  レンズ構成長  前側主点位置  後側主点位置
1    1      17.89         4.14         0.99         -1.57
2    6      -1.79         2.24         0.24         -1.45
3   12       4.49         2.97         1.08         -1.02
4   18      -6.33         1.05         0.21         -0.42
5   21       6.62         4.05         0.56         -2.54
単レンズデータ
レンズ  始面  焦点距離
1       1    -33.16
2       2     23.20
3       4     22.54
4       6     -2.38
5       8     -2.68
6      10      4.51
7      13      6.43
8      15      5.44
9      16     -9.58
10      18      9.32
11      19     -3.91
12      21     11.31
13      23     -6.76
14      25      4.66
15      27      0.00
【手続補正９】
【補正対象書類名】明細書
【補正対象項目名】００４６
【補正方法】変更
【補正の内容】
【００４６】
数値実施例2
面データ
面番号       r        d      nd         νd       有効径
1         21.736    0.58   1.84666    23.8       11.87
2         12.105    2.19   1.49700    81.5       11.20
3       -191.586    0.08                         10.85
4         12.295    1.29   1.80400    46.6        9.99
5         36.371  (可変)                          9.58
6         12.597    0.27   1.88300    40.8        3.04
7          1.740    0.80                          2.33
8         -2.912    0.27   1.88300    40.8        2.25
9          9.701    0.08                          2.33
10          5.817    0.96   1.92286    18.9        2.40
11        -14.057  (可変)                          2.43
12(絞り)    ∞       0.24                          4.16
13*         8.096    1.34   1.58313    59.4        4.28
14*        -6.559    0.09                          4.24
15         13.132    1.16   1.54928    62.9        3.97
16         -3.757    0.27   1.84666    23.8        3.76
17         -7.235  (可変)                          3.69
18         -5.626    0.77   1.66443    33.2        3.39
19         -3.006    0.38   1.58313    59.4        3.31
20*         9.042  (可変)                          3.06
21         14.947    0.53   1.48749    70.2        2.21
22        -12.933    0.08                          2.20
23          3.898    0.33   1.84666    23.8        2.16
24          2.300    0.20                          2.03
25          3.420    0.62   1.69680    55.5        2.05
26        -53.262    1.10                          1.99
27          ∞       1.04   1.51633    64.2        5.49
28          ∞       1.02                          5.49
像面        ∞   
非球面データ
第13面
K =-2.14345e+000  A 4=-4.28672e-004  A 6= 2.11439e-004  A 8=-3.05526e-005  A10=
2.86864e-006  
第14面
K =-2.01759e+000  A 4=-3.84325e-004  A 6= 1.10427e-004  A 8=-5.95803e-006  
第20面
K =-3.61568e+001  A 4= 3.11685e-003  A 6=-1.27172e-003  A 8= 1.54279e-004  
各種データ
ズーム比     67.20 
焦点距離       1.00    12.39    67.20
Fナンバー      2.02     2.75     6.53
半画角（度）   32.43     2.94     0.54
像高           0.64     0.64     0.64
レンズ全長    35.72    35.72    35.72
BF             2.80     2.80     2.80
d 5            0.63    11.46    14.17
d11           14.59     3.76     1.05
d17            0.40     4.07     0.60
d20            4.74     1.07     4.54
入射瞳位置     6.05    78.17   340.61
射出瞳位置    58.66   -25.38    66.67
前側主点位置   7.07    84.75   476.60
後側主点位置   0.02   -11.37   -66.19
ズームレンズ群データ
群  始面    焦点距離  レンズ構成長  前側主点位置  後側主点位置
1    1      17.79         4.14         1.11         -1.48
2    6      -1.66         2.39         0.25         -1.50
3   12       4.52         3.11         1.11         -1.08
4   18      -6.29         1.15         0.21         -0.48
5   21       6.93         3.91         0.50         -2.51
単レンズデータ
レンズ  始面  焦点距離
1       1    -33.18
2       2     22.99
3       4     22.56
4       6     -2.31
5       8     -2.51
6      10      4.56
7      13      6.43
8      15      5.45
9      16     -9.58
10      18      8.70
11      19     -3.82
12      21     14.31
13      23     -7.32
14      25      4.63
15      27      0.00
【手続補正１０】
【補正対象書類名】明細書
【補正対象項目名】００４７
【補正方法】変更
【補正の内容】
【００４７】
数値実施例3
面データ
面番号       r        d      nd         νd       有効径
1         21.759    0.58   1.84666    23.8       11.53
2         12.014    2.03   1.49700    81.5       10.90
3       -199.617    0.08                         10.60
4         12.129    1.30   1.80400    46.6        9.80
5         34.753  (可変)                          9.37
6         10.023    0.28   1.88300    40.8        2.87
7          1.565    0.72                          2.17
8         -2.660    0.28   1.88300    40.8        2.14
9         11.367    0.08                          2.24
10          5.588    1.01   1.94595    18.0        2.33
11        -12.468  (可変)                          2.37
12(絞り)    ∞       0.24                          4.34
13*         8.486    1.34   1.58313    59.4        4.47
14*        -6.493    0.09                          4.44
15         15.221    1.16   1.58003    59.1        4.17
16         -4.150    0.28   1.92286    18.9        3.97
17         -7.171  (可変)                          3.92
18         -4.928    0.73   1.70141    30.2        3.44
19         -2.780    0.39   1.58313    59.4        3.38
20*         9.155  (可変)                          3.12
21         26.583    0.49   1.48749    70.2        2.18
22        -19.114    0.08                          2.18
23          3.489    0.33   1.84666    23.8        2.15
24          2.192    0.20                          2.02
25          3.212    0.62   1.69680    55.5        2.05
26        -49.216    1.10                          1.99
27          ∞       1.04   1.51633    64.2        5.51
28          ∞       1.02                          5.51
像面        ∞   
非球面データ
第13面
K =-1.25686e+000  A 4=-1.24495e-003  A 6= 2.22124e-004  A 8=-1.85188e-005  A10=
9.86217e-007  
第14面
K =-1.63632e+000  A 4=-4.61518e-004  A 6= 1.38938e-004  A 8=-5.85542e-006  
第20面
K =-5.42386e+001  A 4= 4.37219e-003  A 6=-1.63338e-003  A 8= 1.80053e-004  
各種データ
ズーム比     74.40 
焦点距離       1.00    12.79    74.40
Fナンバー      2.02     2.74     7.39
半画角（度）   32.43     2.84     0.49
像高           0.64     0.64     0.64
レンズ全長    35.84    35.84    35.84
BF             2.81     2.81     2.81
d 5            0.55    11.64    14.41
d11           14.76     3.67     0.90
d17            0.61     4.32     0.61
d20            4.80     1.10     4.81
入射瞳位置     5.69    78.83   363.87
射出瞳位置    58.99   -25.10    58.78
前側主点位置   6.70    85.35   534.10
後側主点位置   0.02   -11.77   -73.38
ズームレンズ群データ
群  始面    焦点距離  レンズ構成長  前側主点位置  後側主点位置
1    1      17.90         3.99         1.01         -1.48
2    6      -1.63         2.37         0.20         -1.53
3   12       4.49         3.10         1.15         -1.02
4   18      -6.01         1.11         0.15         -0.51
5   21       7.08         3.88         0.55         -2.44
単レンズデータ
レンズ  始面  焦点距離
1       1    -32.57
2       2     22.87
3       4     22.59
4       6     -2.13
5       8     -2.42
6      10      4.19
7      13      6.52
8      15      5.75
9      16    -11.17
10      18      7.98
11      19     -3.61
12      21     22.89
13      23     -7.88
14      25      4.35
15      27      0.00
【手続補正１１】
【補正対象書類名】明細書
【補正対象項目名】００４８
【補正方法】変更
【補正の内容】
【００４８】
数値実施例4
面データ
面番号       r        d      nd         νd       有効径
1         27.393    0.58   1.84666    23.8       12.28
2         12.412    2.07   1.49700    81.5       11.60
3       -206.579    0.08                         11.39
4         12.368    1.32   1.83400    37.2       10.62
5         33.551  (可変)                         10.25
6          9.736    0.27   1.88300    40.8        3.18
7          1.609    0.80                          2.41
8         -4.555    0.27   1.88300    40.8        2.37
9          6.486    0.08                          2.42
10          3.966    1.02   1.94595    18.0        2.52
11         55.395  (可変)                          2.48
12(絞り)    ∞       0.24                          4.92
13*         8.135    1.48   1.58313    59.4        5.06
14*        -7.930    0.09                          5.00
15        229.353    1.28   1.56384    60.7        4.81
16         -3.943    0.27   1.92286    18.9        4.67
17         -5.701  (可変)                          4.71
18         -4.330    0.94   1.66680    33.0        3.18
19         -2.151    0.38   1.58313    59.4        3.11
20*         6.521  (可変)                          2.81
21         16.616    0.54   1.48749    70.2        2.54
22        -14.713    0.08                          2.54
23          4.594    0.33   1.84666    23.8        2.52
24          2.564    0.20                          2.38
25          3.604    0.73   1.69680    55.5        2.42
26         -8.493    1.10                          2.37
27          ∞       1.04   1.51633    64.2        5.49
28          ∞       1.02                          5.49
像面        ∞   
非球面データ
第13面
K = 4.49444e-001  A 4=-1.30577e-003  A 6= 1.44949e-004  A 8=-4.97456e-006  A10=
-1.43589e-009  
第14面
K =-1.90395e+000  A 4= 2.48662e-004  A 6= 1.52388e-004  A 8=-5.95791e-006  
第20面
K =-3.86255e+001  A 4= 1.30237e-002  A 6=-5.04705e-003  A 8= 9.41838e-004  
各種データ
ズーム比     99.73 
焦点距離       1.00    14.18    99.73
Fナンバー      2.02     2.74     9.25
半画角（度）   32.29     2.55     0.36
像高           0.63     0.63     0.63
レンズ全長    41.52    41.52    41.52
BF             2.80     2.80     2.80
d 5            0.55    13.82    17.13
d11           17.81     4.54     1.22
d17            1.59     5.61     0.60
d20            5.68     1.66     6.67
入射瞳位置     5.76    92.69   543.25
射出瞳位置     9.44    34.24     8.49
前側主点位置   6.88   112.93   1973.68
後側主点位置   0.02   -13.17   -98.71
ズームレンズ群データ
群  始面    焦点距離  レンズ構成長  前側主点位置  後側主点位置
1    1      20.56         4.05         1.14         -1.36
2    6      -1.73         2.45         0.27         -1.41
3   12       5.05         3.37         1.37         -1.04
4   18      -4.73         1.32         0.24         -0.54
5   21       5.22         4.03         0.82         -2.29
単レンズデータ
レンズ  始面  焦点距離
1       1    -27.29
2       2     23.63
3       4     22.84
4       6     -2.22
5       8     -3.00
6      10      4.47
7      13      7.13
8      15      6.89
9      16    -14.97
10      18      5.46
11      19     -2.73
12      21     16.10
13      23     -7.41
14      25      3.72
15      27      0.00
【手続補正１２】
【補正対象書類名】明細書
【補正対象項目名】００４９
【補正方法】変更
【補正の内容】
【００４９】
数値実施例５
面データ
面番号       r        d      nd         νd       有効径
1         28.170    0.58   1.84666    23.8       12.60
2         12.607    2.20   1.49700    81.5       12.17
3       -224.136    0.08                         12.16
4         12.719    1.57   1.83400    37.2       12.11
5         36.393  (可変)                         11.85
6         11.033    0.27   1.88300    40.8        3.16
7          1.644    0.80                          2.40
8         -4.381    0.27   1.88300    40.8        2.36
9          5.849    0.08                          2.41
10          4.048    1.03   1.94595    18.0        2.51
11       -236.991  (可変)                          2.50
12(絞り)    ∞       0.24                          4.92
13*         8.048    1.50   1.58313    59.4        5.07
14*        -7.802    0.09                          4.99
15        470.053    1.29   1.56384    60.7        4.79
16         -4.008    0.27   1.92286    18.9        4.63
17         -5.918  (可変)                          4.66
18         -4.475    0.90   1.66680    33.0        3.23
19         -2.202    0.38   1.58313    59.4        3.17
20*         6.847  (可変)                          2.87
21         14.338    0.55   1.48749    70.2        2.58
22        -15.593    0.08                          2.58
23          4.789    0.33   1.84666    23.8        2.55
24          2.548    0.20                          2.41
25          3.409    0.75   1.69680    55.5        2.46
26         -8.949    1.10                          2.41
27          ∞       1.04   1.51633    64.2        5.49
28          ∞       1.02                          5.49
像面        ∞   
非球面データ
第13面
K = 7.53430e-001  A 4=-1.36674e-003  A 6= 1.47635e-004  A 8=-5.59185e-006  A10=
7.29269e-008  
第14面
K =-9.66373e-001  A 4= 3.65370e-004  A 6= 1.52783e-004  A 8=-5.96449e-006  
第20面
K =-4.66020e+001  A 4= 1.40050e-002  A 6=-5.36914e-003  A 8= 9.61917e-004  
各種データ
ズーム比     99.72 
焦点距離       1.00    14.18    99.72
Fナンバー      2.02     2.76     8.00
半画角（度）   32.29     2.55     0.36
像高           0.63     0.63     0.63
レンズ全長    42.30    42.30    42.30
BF             2.80     2.80     2.80
d 5            0.55    13.84    17.17
d11           17.88     4.59     1.27
d17            1.54     5.71     0.60
d20            6.04     1.87     6.98
入射瞳位置     6.02    94.26   557.85
射出瞳位置     8.88    26.27     8.12
前側主点位置   7.15   116.39   2057.29
後側主点位置   0.02   -13.16   -98.70
ズームレンズ群データ
群  始面    焦点距離  レンズ構成長  前側主点位置  後側主点位置
1    1      20.74         4.43         1.20         -1.52
2    6      -1.73         2.46         0.26         -1.46
3   12       5.14         3.40         1.35         -1.08
4   18      -4.95         1.28         0.23         -0.53
5   21       5.22         4.06         0.82         -2.30
単レンズデータ
レンズ  始面  焦点距離
1       1    -27.42
2       2     24.09
3       4     22.76
4       6     -2.22
5       8     -2.80
6      10      4.22
7      13      7.04
8      15      7.06
9      16    -14.45
10      18      5.61
11      19     -2.81
12      21     15.42
13      23     -6.90
14      25      3.63
15      27      0.00